(57)【要約】【課題】浴室ユニットを既存のものより大きいサイズにリフォームする際において、既存のサイズの天井パネルで拡張可能な浴室ユニットの天井取付構造を提供する。【解決手段】  床パンに立設された壁面パネル２の上端部に天井パネル１を取り付ける浴室ユニットの天井取付構造において、上記天井パネル１の周縁と、上記壁面パネル２の上端とを、所定の幅寸法の拡張フレーム３で連結させて、上記壁面パネル２の上記天井パネル１に対する取付位置を外方にずらして取り付ける構造にしたことを特徴とする。【選択図】図１
2006009374.tif 000002
【特許請求の範囲】
【請求項１】
床パンに立設された壁面パネルの上端部に天井パネルを取り付ける浴室ユニットの天井取付構造において、
上記天井パネルの周縁と、上記壁面パネルの上端とを、所定の幅寸法の拡張フレームで連結させて、上記壁面パネルの上記天井パネルに対する取付位置を外方にずらして取り付ける構造にしたことを特徴とする浴室ユニットの天井取付構造。
【請求項２】
請求項１において、
上記拡張フレームと上記壁面パネルの上端との間に、防水シール部材を介在させた構造にしていることを特徴とする浴室ユニットの天井取付構造。
【請求項３】
請求項２において、
上記天井パネルの周縁と上記壁面パネルの上端とで形成される境界部分には、廻縁を設けた構造にしていることを特徴とする浴室ユニットの天井取付構造。
【請求項４】
請求項３において、
上記廻縁は、防水シール基部に化粧部を延設した構造となっており、
上記防水シール基部を、上記拡張フレームと上記壁面パネルの上端との間に介在させ、且つ、上記化粧部で上記天井パネルの周縁と上記壁面パネルの上端とで形成される境界部分を隠蔽する構造にしていることを特徴とする浴室ユニットの天井取付構造。
【請求項５】
請求項１〜４のいずれかにおいて、
上記拡張フレームは、延出面部と、上記天井パネルの周縁に形成した起立片に固着される天井パネル取付片と、上記壁面パネルの上端に取付けた壁面取付部材に固着される壁面パネル取付片とを有した構造にしていることを特徴とする浴室ユニットの天井取付構造。
【発明の詳細な説明】
【技術分野】
【０００１】
本発明は、浴室ユニットの天井取付構造に関するものである。
【背景技術】
【０００２】
従来より、床パンの四辺の外周に壁面パネルを立設し、壁面パネルの上端に天井パネルを取り付ける構造とする浴室ユニットが公知であるが、このような構造の浴室ユニットでは、天井パネルの周縁と壁面パネルの上端とを連結する結合部材を用いて連結固定している。
図６は、従来の浴室ユニットの天井取付構造を示した図である。
１００は天井パネル、１００ａは天井パネル１の周縁に形成した起立片、１００ｂは断熱材、１００ｃは固定ねじ挿通孔、１００ｄは区画壁、２００は壁面パネル、２００ａは壁面パネル２の上端に取付けられ、折り曲げ形成された壁面取付部材、２００ｂは固定ねじ挿通孔、３は結合部材、３００ｂは天井パネル取付片、３００ｃは壁面パネル取付片、３００ｅ及び３００ｆは固定ねじ挿通孔、４００は防水シール材（廻縁）、４００ａは防水シール基部、４００ｂは廻縁４の化粧部、５００及び６００は固定ねじである。
【０００３】
まず、天井パネル１００の起立片１００ａに覆い被せるように、結合部材３を取付け、固定ねじ６を穿設された固定ねじ挿通孔３００ｅから起立片１００ａの挿通孔１００ｃ及び固定ねじ挿通孔３００ｅを通じて螺装し固定する。次に、浴室ユニットの内側から固定ねじ５を壁面取付部材２００ａの挿通孔２００ｂを通じ、結合部材３００に穿設された固定ねじ挿通孔３００ｆを通じて螺装し固定する。
連結固定後、天井パネル１００と壁面パネル２００の上端との間にできる空所に、防水シール部材４００（廻縁４００）を圧入嵌合する。
上述のような従来の浴室ユニットの天井取付構造については、下記特許文献１から３にも開示されている。
【０００４】
【特許文献１】特開２００１−２０４４４号公報
【特許文献２】特開２００２−８１２１９号公報
【特許文献３】特開平１１−１２４９４８号公報
【０００５】
【発明の開示】
【発明が解決しようとする課題】
【０００６】
しかしながら、このような従来の天井取付構造では、浴室ユニットを既存のものより大きいサイズにリフォームをする際、床パンが大きなサイズになることに伴い、壁面パネルの立設される位置が拡張され後退するので、天井パネルもこれに伴って大きなサイズものに取替えるということが一般的なリフォームの施工法であった。
よって、リフォームの際には床パンのサイズに合う天井パネルを新しく作らなければならず、そのために金型を新しく作るのは無駄が多く、リフォーム前に採用していたのと同じサイズの天井パネルを用いることが望まれていた。
【０００７】
本発明は上記問題点に鑑みなされたものであり、浴室ユニットを既存のものより大きいサイズにリフォームする際において、既存のサイズの天井パネルで拡張可能な浴室ユニットの天井取付構造を提供するものである。
【課題を解決するための手段】
【０００８】
上記目的を達成するために提案される請求項１では、床パンに立設された壁面パネルの上端部に天井パネルを取り付ける浴室ユニットの天井取付構造において、上記天井パネルの周縁と、上記壁面パネルの上端とを、所定の幅寸法の拡張フレームで連結させて、上記壁面パネルの上記天井パネルに対する取付位置を外方にずらして取り付ける構造にしたことを特徴とする。
【０００９】
請求項２では、請求項１において、上記拡張フレームと上記壁面パネルの上端との間に、防水シール部材を介在させた構造にしていることを特徴とする。
【００１０】
請求項３では、請求項２において、上記天井パネルの周縁と上記壁面パネルの上端とで形成される境界部分には、廻縁を設けた構造にしていることを特徴とする。
【００１１】
請求項４では、請求項３において、上記廻縁は、防水シール基部に化粧部を延設した構造となっており、上記防水シール基部を、上記拡張フレームと上記壁面パネルの上端との間に介在させ、且つ、上記化粧部で上記天井パネルの周縁と上記壁面パネルの上端とで形成される境界部分を隠蔽する構造にしていることを特徴とする。
【００１２】
請求項５では、拡張フレームは、延出面部と、天井パネルの周縁に形成した起立片に固着される天井パネル取付片と、壁面パネルの上端に取付けた壁面取付部材に固着される壁面パネル取付片とを有した構造にしていること特徴とする。
【発明の効果】
【００１３】
本発明の請求項１に記載の浴室ユニットの天井取付構造によれば、天井パネルの周縁と、上記壁面パネルの上端とを、所定の幅寸法の拡張フレームで連結させて、上記壁面パネルの上記天井パネルに対する取付位置を外方にずらして取り付ける構造にしているので、天井パネルを拡張フレームの延出面部の幅寸法に見合った分だけ、実質的に拡張することができる。すなわち、浴室ユニットを既存のものより大きいサイズにリフォームする際において、床パンのサイズに合う天井パネルに取り替えることなく、既存の天井パネルと同じサイズの天井パネルであっても拡張可能である。よって、新たに金型を製造する必要がなく、型投資することなく、ワンサイズ大きな浴室ユニットに既存の型成形天井を搭載することができる。
【００１４】
請求項２によれば、拡張フレームと壁面パネルの上端との間に、防水シール部材を介在させた構造にしているので、防水シール部材によって、隙間なく安定的に連結固定でき、水分の浸入を防止できる。
【００１５】
請求項３によれば、天井パネルの周縁と壁面パネルの上端とで形成される境界部分には、廻縁を設けた構造にしているので、浴室内に露見する天井面と壁面パネルの境界部分は廻縁で隠蔽するので、見栄えがよく、境界部分の隙間からの水分の浸入を防止できる。
【００１６】
請求項４によれば、廻縁は、防水シール基部に化粧部を延設した構造となっており、防水シール基部を、拡張フレームと壁面パネルの上端との間に介在させて、天井パネルの周縁と壁面パネルの上端とで形成される境界部分を化粧部で隠蔽する構造にしているので、浴室内に露見する天井面と壁面パネルの境界部分は廻縁で隠蔽するので、見栄えがよく、境界部分の隙間からの水分の浸入を防止できるとともに、防水シール基部によって隙間なく安定的に連結固定できる。
【００１７】
請求項５によれば、拡張フレームは、延出面部と、天井パネルの周縁に形成した起立片に固着される天井パネル取付片と、上記壁面パネルの上端に取付けた壁面取付部材に固着される壁面パネル取付片とを有した構造としているので、既存の浴室ユニットより大きいサイズのものにリフォームする際においても、既存の天井パネルとリフォームした壁面パネルとを確実に結合固定することができる。
【発明を実施するための最良の形態】
【００１８】
以下、図とともに本発明の実施の形態について説明する。
【実施例１】
【００１９】
図１は本発明が採用された浴室ユニットの天井取付構造の要部拡大断面図（図２のＸ部の拡大図）である。図２（ａ）は本発明を採用する前の天井取付構造、図２（ｂ）は本発明が採用された浴室ユニットの天井取付構造を示した図である。図３は、図１の各部材の取付前の断面図である。
【００２０】
図において１は天井パネル、１ａは天井パネル１の周縁に形成した起立片、１ｂは断熱材、１ｃは固定ねじ挿通孔、１ｄは区画壁、２は壁面パネル、２ａは壁面パネル２の上端に取付けられ、折り曲げ形成された壁面取付部材、２ｂは固定ねじ挿通孔、３は拡張フレーム、３ａは拡張フレーム３の延出面部、３ｂは天井パネル取付片、３ｃは壁面パネル取付片、３ｄは固定ねじ通し孔、３ｅ及び３ｆは固定ねじ挿通孔、４は防水シール材（廻縁）、４ａは防水シール基部、４ｂは廻縁４の化粧部、５及び６は固定ねじである。
【００２１】
天井パネル１は鋼板を折曲加工して形成され、或いは合成樹脂パネルをプレス成型して形成され、この天井パネル１の裏側上面には、石膏ボード、グラスウールボード等でなる断熱材１ｂが貼着されている。また壁面パネル２は、鋼、アルミニウム等の金属製中空型材でなる枠材を矩形状に枠組みし、その表面に合成樹脂パネル、石材パネル、陶製パネル等でなる表面仕上げ材を貼着して形成されている。
【００２２】
本発明は、床パン（不図示）に立設された壁面パネル２の上端部に天井パネル１を取り付ける浴室ユニットの天井取付構造において、天井パネル２の周縁と、壁面パネル１の上端とを、所定の幅寸法の拡張フレーム３で連結させて、壁面パネル２の天井パネル１に対する取付位置を外方にずらして取り付ける構造にしたことを特徴とする。
【００２３】
図２（ａ）は本発明を採用する前の天井取付構造、図２（ｂ）は本発明を採用した浴室ユニットの天井取付構造を示している。図２（ａ）は、内寸Ａの幅寸法の浴室ユニットが設置可能で、天井パネル１の成型品の外寸はＢである。
これに延出面部３ａの幅寸法ａの拡張フレーム３を天井パネル１の四辺周縁に取り付けると、床パンのサイズに合う天井パネル１に取替えずに、内寸Ａの幅寸法を実質的に２ａ分、拡張できる（図２（ｂ）参照）。
この天井取付構造によれば、既存の浴室ユニットより大きいサイズのものにリフォームする際において、床パンのサイズに合う大きいサイズの天井パネル１でなく、既存の天井パネルを同じサイズの天井パネル１で、拡張可能である。
よって、新たに金型を製造する必要がなく、型投資することなく、ワンサイズ大きな浴室ユニットに既存の型成形天井を搭載することができる。
【００２４】
図１及び図３に示すように、拡張フレーム３と壁面パネル２の上端との間には、防水シール部材４を介在させた構造にしている。
これによれば、防水シール部材４によって、隙間なく安定的に連結固定でき、水分の浸入を防止できる。
【００２５】
またこのような防水シール部材４は、天井パネル１の周縁と壁面パネル２の上端とで形成される境界部分を隠蔽するように廻縁４として構成してもよい。
廻縁４は、防水シール基部４ａに化粧部４ｂを延設した構造となっており、防水シール基部４ａを、拡張フレーム３と壁面パネル２の上端との間に介在させて、天井パネル１の周縁と壁面パネル２の上端とで形成される浴室内に露見する境界部分を化粧部４ｂで隠蔽する構造にしているので、見栄えがよく、境界部分の隙間からの水分の浸入を防止できるとともに、防水シール基部４ａによって隙間なく安定的に連結固定できる。
廻縁４（防水シール部材４）の防水シール基部４ａと化粧部４ｂは、例えば合成樹脂製とし一体成型されるものでもよいし、別体に構成し、例えば防水シール基部４ａはゴム材製とし、化粧部４ｂを合成樹脂製としてもよい。
また、廻縁の形状も図１及び図３に示されるような断面略三角形状のものに限られず、断面略Ｌ字型等、任意の形状が採択される。
【００２６】
図４（ａ）（ｂ）は本発明の天井取付構造に用いる拡張フレーム３の断面斜視図である。
なお、拡張フレーム３の形状は図４に示すものには限られず、既存の天井パネル１の寸法よりも大きい天井面を形成することができる十分な幅寸法の延出面部３ａを備えていればよい。
【００２７】
図４（ａ）は、図１及び図３に示される拡張フレーム３の断面斜視図である。
拡張フレーム３は、延出面部３ａと、二つの天井パネル取付片３ｂと、壁面パネル２の上端に取付けた壁面取付部材２ａに固着される壁面パネル取付片３ｃとを有した構造にしている。なお、二つの天井パネル取付片３ｂのうち、天井パネル１側（図１、図３、図４（ａ）では右側）の天井パネル取付片３ｂは断熱材１ｂの区画壁１ｄを覆い被せるようにして取付けられ、もう一方の天井パネル取付片３ｂは、天井パネル１の周縁に形成した起立片１ａと固定ねじ６で固着される。よって、この天井パネル取付片３ｂには固定ねじ６を挿通させるための挿通孔３ｅが適宜所定の間隔で設けられている。また壁面パネル取付片３ｃにも、固定ねじ５を挿通させるための挿通孔３ｆが適宜所定の間隔で設けられている。
【００２８】
ここで、上記拡張フレーム３の取付要領を説明する。
まず、天井パネル１の区画壁１ｄに覆い被せるように、拡張フレーム３を取付け、固定ねじ６を図３に示す矢印方向に拡張フレーム３の固定ねじ通し孔３ｄより挿入し、穿設された固定ねじ挿通孔３ｅ及び起立片１ａの挿通孔１ｃを通じて螺装し固定する。次に、浴室ユニットの内側から固定ねじ５を図３に示す矢印方向に壁面取付部材２ａの挿通孔２ｂを通じ、拡張フレーム３に穿設された固定ねじ挿通孔３ｆを通じて螺装し固定される（図３参照）。
連結固定後、拡張フレーム３と壁面パネル２の上端との間に、防水シール部材４（廻縁４）を圧入嵌合し、浴室ユニット内に露見する天井パネル１と壁面パネル２の境界部分を隠蔽する（図３参照）。
上記の図４（ａ）に示す拡張フレーム３によれば、区画壁１ｄに覆い被せる天井パネル取付片３ｂを備えているので、天井パネル１の周縁への取付け位置を確定し易く、取付施工が容易である。
【００２９】
また図４（ｂ）は、図４（ａ）とは別の拡張フレーム３の断面斜視図である。
図４（ｂ）に示すように、拡張フレーム３は、断熱材１ｂの区画壁１ｄを覆い被せるようにして取付けられる天井パネル１側（図１、図３、図４（ａ）では右側）の天井パネル取付片３ｂを備えていないものよい。
ここで、上記拡張フレーム３の取付要領を説明する。
まず、拡張フレーム３の固定ねじ挿通孔３ｅと起立片１ａの挿通孔１ｃとに、固定ねじ６が螺装固定できるように、拡張フレーム３の取付位置を決め、固定ねじ通し孔３ｄより固定ねじ６を挿入して、固定ねじ挿通孔３ｅと挿通孔１ｃを通じて螺装固定する。続く、壁面取付部材２ａとの連結固定要領及び、防水シール部材４（廻縁４）の嵌合要領は、図４（ａ）の場合と同様であるので、説明を割愛する。
上記の図４（ｂ）に示す拡張フレーム３によれば、形状がシンプルなので、加工成型が容易である。
【００３０】
図５（ａ）は、本発明の浴室ユニットの天井取付構造が採用された天井パネル１の平面図である。また図５（ｂ）は、浴室ユニット内からみた本発明の浴室ユニットの天井取付構造が採用された天井パネル１の平面図である。
図５（ａ）では、例として、壁面パネル２の四隅の弾接部をコーナーブロックＪによりジョイント結合させたものを示している。図５（ａ）に示すように拡張フレーム３は、天井パネル１の周縁に形成される起立片１ａと壁面パネル２の上端とを跨るように取付られる。
また図５（ｂ）に示すように、浴室ユニットを拡張することにより、浴室ユニット内に露見する天井パネル１の周縁と壁面パネル２の上端とで形成される境界部分を廻縁４で隠蔽しているので、見栄えがよく、浸水を防止することができる。
【図面の簡単な説明】
【００３１】
【図１】本発明が採用された浴室ユニットの天井取付構造の要部拡大断面図である。
【図２】（ａ）は本発明を採用する前の天井取付構造、（ｂ）は本発明が採用された浴室ユニットの天井取付構造を示した図である。
【図３】図１の各部材の取付前の断面図である。
【図４】（ａ）（ｂ）は本発明の拡張フレームの断面斜視図である。
【図５】（ａ）は、本発明の浴室ユニットの天井取付構造が採用された天井パネルの平面図である。（ｂ）は、浴室ユニット内からみた本発明の浴室ユニットの天井取付構造が採用された天井パネルの平面図である。
【図６】従来からの浴室ユニットの天井取付構造を示した図である。
【符号の説明】
【００３２】
１          天井パネル
１ａ        起立片
１ｂ        断熱材
１ｃ、２ｂ  固定ねじ挿通孔
１ｄ        区画壁
２          壁面パネル
２ａ        壁面取付部材
３          拡張フレーム
３ａ        延出面部
３ｂ        天井パネル取付片
３ｃ        壁面パネル取付片
３ｄ        固定ねじ通し孔
３ｅ、３ｆ  固定ねじ挿通孔
４          防水シール材（廻縁）
４ａ        防水シール基部
４ｂ        化粧部
５、６      固定ねじ
【図１】
2006009374.tif 000003
【図２】
2006009374.tif 000004
【図３】
2006009374.tif 000005
【図４】
2006009374.tif 000006
【図５】
2006009374.tif 000007
【図６】
2006009374.tif 000008